(57)【要約】【課題】リサイクル等のために原料材質毎に分別する際の分解作業を軽減することができるセット部品を得る。【解決手段】パチンコ機の遊技盤に取り付けられる１００チャッカー１１８は、同材質（ＰＣ樹脂）の本体ベース１０及び前飾り１２が組み立てられて構成される。この本体ベース１０のベース部２０の背面２０Ｂに、本体ベース１０及び前飾り１２が同材質であることを示す識別情報３２（＜全てＰＣ＞）を設ける。【選択図】        図４
2004195069.tif 000002
【特許請求の範囲】
【請求項１】
同材質の複数の単部品が組み立てられて構成されるセット部品であって、
前記複数の単部品を組み立てた状態で視認可能な部位に複数の単部品が同材質であることを示す識別情報を設けたことを特徴とするセット部品。
【請求項２】
前記識別情報は、前記複数の単部品の何れか１つに設けられていることを特徴とする請求項１記載のセット部品。
【請求項３】
前記識別情報は、前記複数の単部品とは材質が異なる他部品への取付部位に設けられていることを特徴とする請求項１又は請求項２記載のセット部品。
【請求項４】
前記複数の単部品とは材質が異なり且つ組立状態とされた複数の単部品に着脱可能とされるとともにその取り付け状態では複数の単部品を分解不能とする異材質部品を更に備え、前記識別情報は、前記異材質部品が取り付けられる取付部位に設けられていることを特徴とする請求項１又は請求項２記載のセット部品。
【請求項５】
前記複数の単部品のうちの成形品には、前記識別情報を成形金型の刻印により形成することを特徴とする請求項１〜請求項４の何れか１項記載のセット部品。
【請求項６】
前記識別情報は、前記複数の単部品の原料材質名と、集合を意味する単語と、を含むことを特徴とする請求項１〜請求項５の何れか１項記載のセット部品。
【請求項７】
請求項１〜請求項６の何れか１項記載のセット部品を備えた遊技機。
【請求項８】
前記セット部品が遊技盤に取り付けられる遊技部品であることを特徴とする請求項７記載の遊技機。
【発明の詳細な説明】
【０００１】
【発明の属する技術分野】
本発明は、セット部品及びこれを備えた遊技機に係り、詳しくは、リサイクルが可能な複数の単部品から構成されるセット部品及びこのセット部品を遊技盤に取り付ける遊技部品等に適用した遊技機に関する。
【０００２】
【従来の技術】
パチンコ機やパチスロ機等の遊技機では、遊技店での機種の入れ替えなどに伴い廃棄する際に、遊技機を解体して構成部品を原材料毎に分別し、リサイクルできない部品は廃棄処分するとともに、リサイクル可能な主に金属製や合成樹脂製の部品及びガラス等については、原材料へ戻し再利用している。また、パチンコ機の場合、パチンコ機の本体を構成する内枠（前面枠）、ガラス枠、皿枠、及び裏セット等の構造部品、あるいは、遊技盤の盤面に取り付ける役物等の遊技部品や飾り部品等、多くの構成部品を合成樹脂材料によって形成しており、これらの各樹脂部品は、その機能や用途に適した材質、例えばＰＣ樹脂やＡＢＳ樹脂等が選択されて使い分けされている。そのため、通常は、合成樹脂で形成される複数の機構部材（構成部品）に、各々合成樹脂の種類別に選別が可能な選別表示を設けることで、具体的には、例えばＡＢＳ樹脂製の前面枠に「ＡＢＳ」といった材質名を設けることで、その構成部品の原料材質を容易に認識できるようにして分別し易くしている（例えば、特許文献１参照）。
【０００３】
また、複数の構成部材（構成部品）からなるセット部品では、その構成部材の原料材質が認識できる材質表示部を設けることで、具体的には、例えばガラス板保持枠（ガラス枠）に、ガラス板保持枠を構成する構成部材の主な材質（プラスチック…ＡＢＳ，ポリカーボネート／金属…鉄，真ちゅう／プリント基板…フェノール等）を表示した材質表示シールを貼り付けることで、セット部品の状態でどのようにリサイクルするかを判断し易くしたものがある（例えば、特許文献２参照）。
【０００４】
また、遊技盤においては、遊技盤に貼り付けるセル画シート材に、遊技盤に配設される各部材（構成部品）の名称と原材料名を表示したデータ表示部を設けることにより、解体時にはそのデータ表示部を視認するだけで各部材の原料材質を認識できるようにしたものがある（例えば、特許文献３参照）。
【０００５】
【特許文献１】
特開平８−１９６４６号公報  （第１頁、第９頁、第６図）
【特許文献２】
特開平１１−３３２１５号公報  （第４頁、第２図、第４図、第５図）
【特許文献３】
特開２００１−７０２公報  （第３−４頁、第２図、第３図）
【０００６】
【発明が解決しようとする課題】
ところで、近年では、環境問題を背景とした資源の有効活用が更に重要性を増している。そのような観点から、遊技機では、より多く部品をリサイクル可能な材質で形成する開発が進められている。また一方では、遊技店での機種の入れ替えサイクルが短くなっており、それに伴い遊技機の廃棄・解体数は増加傾向にある。これらの理由から、遊技機の解体（分解）及び分別に掛かる負担は大きくなっているため、その作業を少しでも軽減させたい要望がある。
【０００７】
これに対し、上述した特許文献１では、個々の部品にそれぞれの材質名が表示されているだけであるため、例えば、複数の樹脂部品（構成部品）で構成されるセット部品を分別する際は、個々の樹脂部品の材質を認識するために、セット部品を分解して各樹脂部品の材質表示を確認しなければならない。したがって、各樹脂部品が同じ材質であり、結果として同材質のグループに分類されるような場合でも、そのことを認識して分別可能とするにはセット部品を全て分解しなければならず、作業に無駄が生じている。
【０００８】
また、特許文献２の場合は、材質表示シールにはセット部品に使用されている各部品の材質の種類が一括して表示されているだけであるため、やはり、セット部品の分別では、セット部品を個々の部品に分解して各部品の材質表示を確認しなければならない。したがって、特許文献１と同様に、同じ材質の構成部品からなるセット部品では無駄な分解作業をすることになる。
【０００９】
また、特許文献３の場合は、構成部品の材質表示を省略することを前提として、セル画シート材にデータ表示部を設けているため、セル画シート材がないと各部品の材質がわからない。よって、セル画シート材と部品とを常にセットで用意しておく必要があり、例えば部品のみで取り扱うような場合はその材質がすぐに判明しない不便さがある。
【００１０】
本発明は上記事実を考慮して、リサイクル等のために原料材質毎に分別する際の分解作業を軽減することができるセット部品及びこれを備えた遊技機を提供することを課題とする。
【００１１】
【課題を解決するための手段】
上記目的を達成するために請求項１に記載の発明は、同材質の複数の単部品が組み立てられて構成されるセット部品であって、前記複数の単部品を組み立てた状態で視認可能な部位に複数の単部品が同材質であることを示す識別情報を設けたことを特徴としている。
【００１２】
請求項１に記載の発明では、組立状態のセット部品を見ると、視認可能な部位に設けられた識別情報を視認することができる。この識別情報は、例えば原料材質名を表示して直接的に表現したり、又は、原料材質名と対応する記号等を用いて間接的に表現することができる。また識別情報は、シール部材や印刷等によって設けることができるとともに、２つ以上の単部品に跨って設けることも可能である。
【００１３】
そして、リサイクル等のためにセット部品を原料材質毎に分別する際は、識別情報を視認するだけで、そのセット部品が全て同材質の単部品から構成されていることを認識することができる。これにより、セット部品を取り扱う作業者等は、セット部品をそれ以上分解することなく組立状態のまま分別することができるようになり、よって分解作業が軽減される。
【００１４】
また、特定の単部品が小型であったり複雑な形状であるために材質表示を設けることが困難な場合などでも、セット化する他の単部品に上記の識別情報を設けることにより、材質表示が困難な特定の単部品の原料材質を認識することができるようになる。
【００１５】
請求項２に記載の発明は、請求項１記載のセット部品において、前記識別情報は、前記複数の単部品の何れか１つに設けられていることを特徴としている。
【００１６】
請求項２に記載の発明では、複数の単部品の何れか１つに識別情報を設け、その他の単部品には材質表示を設けないことにより、製造工程を簡素化することができて製造コストが抑えられる。
【００１７】
請求項３に記載の発明は、請求項１又は請求項２記載のセット部品において、前記識別情報は、前記複数の単部品とは材質が異なる他部品への取付部位に設けられていることを特徴としている。
【００１８】
請求項３に記載の発明では、セット部品が複数の単部品とは材質が異なる他部品に取り付けられて使用される場合、作業者等は、セット部品が他部品に取り付けた状態ではその取付部位に設けられた識別情報を視認することはできず、セット部品を他部品から取り外すと、識別情報が現れて、そのセット部品が同材質の単部品から構成されていることを認識できる。これにより、作業者等に、分解の過程で他部品から取り外したセット部品をそれ以上分解する必要がないことを明確に報知することができる。
【００１９】
請求項４に記載の発明は、請求項１又は請求項２記載のセット部品において、前記複数の単部品とは材質が異なり且つ組立状態とされた複数の単部品に着脱可能とされるとともにその取り付け状態では複数の単部品を分解不能とする異材質部品を更に備え、前記識別情報は、前記異材質部品が取り付けられる取付部位に設けられていることを特徴としている。
【００２０】
請求項４に記載の発明では、セット部品が複数の単部品とは材質が異なる異材質部品を更に備える場合、作業者等は、セット部品に異材質部品が取り付けられた状態ではその取付部位に設けられた識別情報を視認することはできない。そして、セット部品を分解するには、異材質部品を取り外さないと同材質の単部品を分解することができないため、異材質部品から取り外すと、残りの単部品に設けられた識別情報が現れて、それらが同材質であることを認識できる。これにより、作業者等に、セット部品の分解の過程で異材質部品を取り外した後、残りの単部品をそれ以上分解する必要がないことを明確に報知することができる。
【００２１】
請求項５に記載の発明は、請求項１〜請求項４の何れか１項記載のセット部品において、前記複数の単部品のうちの成形品には、前記識別情報を成形金型の刻印により形成することを特徴としている。
【００２２】
請求項５に記載の発明では、複数の単部品のうちの成形品には、識別情報を成形金型の刻印により形成することで、単部品の成形時に識別情報を同時に形成することができる。そのため、製造コストが抑えられる。さらに、識別情報は単部品に一体的に形成されるため、表示が不鮮明になるようなことも防止される。
【００２３】
請求項６に記載の発明は、請求項１〜請求項５の何れか１項記載のセット部品において、前記識別情報は、前記複数の単部品の原料材質名と、集合を意味する単語と、を含むことを特徴としている。
【００２４】
請求項６に記載の発明では、識別情報に、原料材質名及び集合を意味する単語を設けることにより、識別情報を視認しただけで複数の単部品の原料材質が判明し、また、その原料材質からなる単部品の集合物、集合体であることが容易に認識できる。なお、ここでの「集合を意味する単語」とは、「集合」、すなわち「まとまった状態」を表した単語であり、「集合」以外には、例えば「全て」や「組立」、あるいは「セット」や「ユニット」等の「集合」と同義又は「集合」を想起させる単語のことである。
【００２５】
請求項７に記載の発明は、請求項１〜請求項６の何れか１項記載のセット部品を備えた遊技機である。また、請求項８に記載の発明は、請求項７記載の遊技機において、前記セット部品が遊技盤に取り付けられる遊技部品であることを特徴としたものである。
【００２６】
【発明の実施の形態】
以下、図面を参照して本発明の実施の形態について説明する。
【００２７】
［第１の実施形態］
（遊技盤の構成）
図１には、第１の実施形態に係る遊技盤の盤面側が示されている。図示のように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２と内レール１０４とによって囲まれた円形状の領域は、遊技球が移動可能な遊技領域１０１とされている。
【００２８】
遊技領域１０１（盤面１００Ａ）のほぼ中央には、特別図柄表示装置１０６が配置されている。特別図柄表示装置１０６は液晶ディスプレイを内蔵しており、そのディスプレイ画面１０８には特別図柄の抽選や各種演出等のアニメーションが表示される。
【００２９】
特別図柄表示装置１０６の下方には、スタート・チャッカー（始動口）１１０が配置されている。スタート・チャッカー１１０の下方には、遊技領域１０１の下端部付近に位置して変動入賞装置（特別電動役物）１１２が配設されており、変動入賞装置１１２は、普通図柄表示装置１１３及び左右幅方向を長手とした矩形状のアタッカー（大入賞口）１１４を備え、アタッカー１１４内には通称「Ｖゾーン」と呼ばれる連続役物作動口１１５が設けられている。アタッカー１１４は、開閉扉１１６が開放又は閉塞することによって開口又は閉口するようになっており、開閉扉１１６の開放時には、開閉扉１１６上に落下した遊技球が開閉扉１１６に案内されてアタッカー１１４へ入賞する。
【００３０】
また、遊技領域１０１には、チャッカー（入賞口）１１８、スルー・チャッカー（普通図柄表示装置作動ゲート）１１９、風車１２０、装飾風車１２１、サイド飾り１２２Ｌ、１２２Ｒが設けられており、最下位置にアウト口１２４が配置されている。さらに、上述した役物や各種遊技部品、飾り部品が取り付けられている遊技領域１０１には、遊技領域１０１内を落下する遊技球を所定の経路に誘導する多数の遊技釘１２５が打ち込まれている。
【００３１】
（パチンコ機の遊技仕様）
上記構成の遊技盤１００を搭載したパチンコ機による遊技では、遊技者の発射ハンドル操作によって発射された遊技球は、外レール１０２に沿って遊技盤１００の遊技領域１０１に打ち込まれ、遊技釘１２５に当たり方向を変えながら遊技領域１０１内を落下する。そして、入賞せずに遊技領域１０１の下端部に至った遊技球はアウト口１２４からパチンコ機内に回収される。
【００３２】
また、遊技球がチャッカー１１８に入賞すると、賞球払出装置が作動して所定数（例えば５個）の賞球が払い出される。さらに、スタート・チャッカー１１０へ入賞すると、パチンコ機内の制御部（主制御基板）において当たり／外れの抽選処理が実行され、その抽選結果は、特別図柄表示装置１０６のディスプレイ画面１０８に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００３３】
そして、抽選結果が「大当たり」となった場合は、特別図柄表示装置１０６のディスプレイ画面１０８に、例えば、リーチ・アクションを経て「５５５」等の予め定められた所定の当たり図柄の組み合わせが表示され、大当たりが発生したことを遊技者に報知し所定の大当たり動作を実行する。
【００３４】
大当たり動作としては、アタッカー１１４が、例えば１０カウント（入賞個数）又は最大３０秒間（１回の開放時間）／最高１６ラウンド（継続回数）開放されるとともに、１回のアタッカー１１４開放時にアタッカー１１４内のＶゾーン（連続役物作動口１１５）への入賞を果たすことで次ラウンドを継続するといった動作が行われる。これにより、遊技者は、発射した遊技球をアタッカー１１４へ容易に入賞させ、例えば入賞１個当たり１５個の払い出しを受けるなどして、大量の賞球を獲得できるようになる。
【００３５】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが普通図柄表示装置１１３の回転時間が短縮されスタート・チャッカー１１０が開放し易くなって球持ちをよくする「時短機能」といった付加機能が作動して、遊技者にとって有利な遊技状態が展開される。
【００３６】
（セット部品の構成）
次に、図２〜図７を用いて本実施形態のセット部品であるチャッカー１１８の構成ついて詳細に説明する。
【００３７】
図２及び図３に示すように、本実施形態に係るチャッカー１１８は、本体ベース１０と、本体ベース１０に取り付けられる前飾り１２との２つの部品（単部品）によって構成されている。また、これらの本体ベース１０及び前飾り１２は共にＰＣ樹脂材料による成形品とされており、したがって、同じ材質で形成されている。
【００３８】
本体ベース１０は、正面視略六角形状とされた板状のベース部２０を備えている。ベース部２０の左側端部（左角部）近傍及び右側端部（右角部）近傍には、チャッカー１１８を遊技盤１００にネジ止めするための貫通孔２２Ｌ、２２Ｒが形成されている。また、ベース部２０の中央上部寄りにはＵ字型の開口２４が設けられており、開口２４の左右側方及び下方には矩形状の貫通孔２６Ｌ、２６Ｒ、２６Ｄが形成されている。
【００３９】
ベース部２０の背面２０Ｂには、開口２４の下縁部から誘導樋２８が後方へ突設されている。この誘導樋２８は断面が略半円弧状とされており、誘導樋２８の内周面下端部には、後方へ所定の勾配で下り傾斜するリブ３０が凸設されている。さらに、非体裁面となるベース部２０の背面２０Ｂには、図４に示すように、誘導樋２８の下方に位置して識別情報３２が設けられている。
【００４０】
本実施形態の識別情報３２は、図示のように、「＜全てＰＣ＞」といった記号（「＜＞」：括弧）と文字（「全てＰＣ」）の組み合わせで表示されており、ここでは、本体ベース１０を成形する成形金型の刻印によって形成されている。また、文字部分については、集合を想起させる「全て」といった単語３４と、チャッカー１１８を構成する本体ベース１０及び前飾り１２の原料材質を表示した「ＰＣ」（原料材質名３６）とで構成されている。なお、「全てＰＣ」を囲む「＜＞」については、文字部分が「全てＰＣ」の４文字で完結されることを示すとともにこの表示（識別情報３２）が材質に関する表示であることを示す補助的な役割を果たすものである。このような材質表示では、一般的に、「＞＜」（「＞ＰＣ＜」）又は「≫≪」（「≫ＰＣ≪」）等が多用されるが、ここでは、それらの材質のみを表示したものと区別するために「＜＞」を用いている。ただし、この「＜＞」以外の記号や文字等に置き換えることは可能であり、また「＞＜」や「≫≪」を用いても構わない。
【００４１】
一方、前飾り１２は、上面部及背面部が開口されて全体が箱状とされている。前飾り１２の前面には装飾３８、３９が施されており、内面には、上部から後部へ掛けて略円弧状のリブ４０が形成されている（図５及び図６参照）。
【００４２】
また、前飾り１２の左右側端部及び下端部には、本体ベース１０の貫通孔２６Ｌ、２６Ｒ、２６Ｄと対応するフック４２Ｌ、４２Ｒ、４２Ｄが一体的に設けられて後方へ突出されている。各フック４２Ｌ、４２Ｒ、４２Ｄの先端部には、外方へ突出されるとともに後方へ掛けて薄肉となる傾斜形状のツメ４４Ｌ、４４Ｒ、４４Ｄが設けられている。また、左右側端部のフック４２Ｌ、４２Ｒについては、前飾り１２の本体部分と繋がれた基端部に、前後方向に延びる一対のスリット４６がそれそれ形成されており（図２及び図３ではフック４２Ｌ側のスリット４６は隠れており図示せず）、さらに、各基端部の内面側には空洞部４７（図４及び図７参照）がそれぞれ設けられている。これらのスリット４６と空洞部４７とによって、フック４２Ｌ及びフック４２Ｒはそれぞれ左右方向へ弾性変形可能となっている。
【００４３】
他方、遊技盤１００の盤面１００Ａには、チャッカー１１８の取付部位に、ＮＣルータによって加工された開口４８及びプレスによって形成されたポンチ穴５０Ｌ、５０Ｒが形成されている。
【００４４】
次に、上記構成からなるチャッカー１１８の組立・分解方法、遊技盤１００への着脱方法、及び作用について説明する。
【００４５】
チャッカー１１８を組み立てるには、図５に示すように、前飾り１２の下端部に設けられたフック４２Ｄのツメ４４Ｄを、本体ベース１０のベース部２０の前面２０Ａから貫通孔２６Ｄへ挿入して、貫通孔２６Ｄの孔縁（ベース部２０の背面２０Ｂ）に引っ掛ける。そしてそのまま、前飾り１２の上部を本体ベース１０側に押し付けてフック４２Ｌ、４２Ｒを本体ベース１０の貫通孔２６Ｌ、２６Ｒに押し込む。
【００４６】
ここで、ツメ４４Ｌ、４４Ｒが貫通孔２６Ｌ、２６Ｒを通過する際は、フック４２Ｌ、４２Ｒはそれぞれ内方へ弾性変形して、挿入に対し摩擦抵抗（負荷）を生じさせる（図７の二点鎖線の状態）。その摩擦抵抗以上の力で更に前飾り１２の上部を本体ベース１０側に押し付けると、ツメ４４Ｌ、４４Ｒが貫通孔２６Ｌ、２６Ｒを通り抜け、その直後に、フック４２Ｌ、４２Ｒは弾性力によって元の状態に復帰し、ツメ４４Ｌ、４４Ｒを貫通孔２６Ｌ、２６Ｒの各孔縁（ベース部２０の背面２０Ｂ）に係止させる。これにより、前飾り１２は、フック４２Ｌ、４２Ｒ、４２Ｄのツメ４４Ｌ、４４Ｒ、４４Ｄが本体ベース１０のベース部２０に係止されてベース部２０の前面２０Ａに取り付けられ、図６及び図７に示す組立状態のチャッカー１１８が得られる。また、この組立状態では、図７に示すように、本体ベース１０のリブ３０と前飾り１２のリブ４０とがほぼ段差なく繋がれる。
【００４７】
また、チャッカー１１８を分解するには、前飾り１２のツメ４４Ｌ、４４Ｒを指で摘み、フック４２Ｌ、４２Ｒを内方へそれぞれ撓ませてツメ４４Ｌ、４４Ｒの係止状態を解除する。係止状態を解除させたら、そのまま、前飾り１２の上部を引っ張って、フック４２Ｌ、４２Ｒを本体ベース１０の貫通孔２６Ｌ、２６Ｒから抜き出す。さらに、フック４２Ｄを貫通孔２６Ｄから抜き出すと、前飾り１２が本体ベース１０から取り外される。
【００４８】
このように、本実施形態のチャッカー１１８は、ネジ等の固定部材を用いないことによって組立・分解が容易であるとともに、組立状態では、単一の材質（ＰＣ樹脂）によって構成される。
【００４９】
また、組み立てたチャッカー１１８を遊技盤１００に取り付けるには、図３に示すように、先ず、誘導樋２８を遊技盤１００の開口４８に挿入し、本体ベース１０のベース部２０の背面２０Ｂを遊技盤１００の盤面１００Ａに密着させる。そして、貫通孔２２Ｌ、２２Ｒにネジ５２をそれぞれ挿入し、ポンチ穴５０Ｌ、５０Ｒにねじ込む。これにより、図２に示すように、チャッカー１１８が遊技盤１００の盤面１００Ａに固定される。
【００５０】
また、遊技では、遊技球がチャッカー１１８に入賞すると、すなわち、遊技球がチャッカー１１８の上面部分に設けられた開口５３へ入ると、その遊技球は、前飾り１２内面のリブ４０に沿って本体ベース１０の開口２４側へ転がり、さらに、開口２４を通り抜け誘導樋２８のリブ３０上を後方へ転がって遊技盤１００の裏面側へ誘導される。
【００５１】
一方、遊技盤１００を解体して廃棄／リサイクルする際は、チャッカー１１８や前述したスタート・チャッカー１１０、変動入賞装置１１２等の各種セット部品は、そのセット状態（組立状態）のままで遊技盤１００から取り外され、分解後に各構成部品を材質毎に分別する。したがって、本実施形態のチャッカー１１８は、２本のネジ５２を緩めて外し、組立状態のままで遊技盤１００から取り外される。
【００５２】
そして、チャッカー１１８を取り外すと、作業者は、チャッカー１１８の背面２０Ｂを見ることができるようになる。ここで、チャッカー１１８の背面２０Ｂを見た作業者には、識別情報３２（＜全てＰＣ＞）が視認される。これにより、作業者は、チャッカー１１８を構成する部品（本体ベース１０及び前飾り１２）が全てＰＣ樹脂で形成されていることを認識し、チャッカー１１８をそれ以上分解することなく組立状態のまま分別してもよいと判断する。
【００５３】
以上説明したように、本実施の形態に係るチャッカー１１８では、リサイクル等のためにチャッカー１１８を分別する際は、識別情報３２を視認するだけで、そのチャッカー１１８が全て同材質の単部品から構成されていることを認識することができるため、作業者は、チャッカー１１８をそれ以上分解することなく組立状態のまま分別できるようになり、よって分解作業が軽減される。
【００５４】
また、本実施形態のようなチャッカー１１８の場合は、小型であるために個々の部品に材質表示を設けることが困難なことがある。しかし、上述したように、本体ベース１０のみに設けた識別情報３２によって、前飾り１２の原料材質をも認識することができる。さらに、前飾り１２には材質表示を設けないことで、製造工程を簡素化することができて製造コストが抑えられる。
【００５５】
また、本実施の形態では、遊技盤１００への取付部位となるベース部２０の背面２０Ｂに識別情報３２を設けていることにより、作業者には、分解の過程で遊技盤１００のから取り外したチャッカー１１８をそれ以上分解する必要がないことを明確に報知することができる。
【００５６】
また、本実施の形態では、識別情報３２を、本体ベース１０を成形する成形金型の刻印によって形成していることにより、本体ベース１０の成形時に識別情報３２を同時に形成することができる。これにより、製造コストが抑えられる。さらに、識別情報３２は本体ベース１０に一体的に形成されるため、表示が不鮮明になるようなことも防止される。
【００５７】
また、本実施の形態では、識別情報３２に、原料材質名（「ＰＣ」）及び集合を意味する単語（「全て」）を設けたことにより、識別情報３２を視認しただけでチャッカー１１８の構成部品がＰＣ樹脂製であることが判明し、また、そのＰＣ樹脂製の部品の集合物、集合体であることが容易に認識できる。
【００５８】
次に、図８を用いて本発明の第２〜第４の実施形態について説明する。なお、第２〜第４の実施形態は、第１の実施形態で説明した識別情報の表示内容を変更した変形例である。
【００５９】
［第２の実施形態］
図８（Ａ）に示される第２の実施形態に係る識別情報５４は、第１実施形態の表示内容を簡略化して「＜全ＰＣ＞」とした場合の例である。
【００６０】
［第３の実施形態］
図８（Ｂ）に示される第３の実施形態に係る識別情報５６は、第１実施形態の「全て」を英語化して「＜ＡＬＬ ＰＣ＞」とした場合の例である。
【００６１】
［第４の実施形態］
図８（Ｃ）に示される第４の実施形態に係る識別情報５８は、「組立」を表現する「ＡＳＳ’Ｙ」を用いて「＜ＰＣ ＡＳＳ’Ｙ＞」とした場合の例である。
【００６２】
これらの第２〜第４の実施形態によっても、チャッカー１１８がＰＣ樹脂製の部品の集合物、集合体であることを容易に認識することができる。
【００６３】
次に、図９及び図１０を用いて本発明の第５及び第６の実施形態について説明する。なお、第５及び第６の実施形態は、第１の実施形態で説明したチャッカーが３つの部品によって構成されている場合の例である。ただし、上記第１の実施形態で説明した構成と同一構成又は同一機能の構成については同じ符合を付してその説明を省略する。
【００６４】
［第５の実施形態］
図９に示すように、第５の実施形態に係るチャッカー１５０は、第１実施形態と略同形状の本体ベース６０を備えるとともに、前飾り６２は、箱状の前飾り本体６４と、前飾り本体６４の上部前面側に装着される装飾部材６６との２つの部品（単部品）によって構成されている。したがって、チャッカー１５０は、計３つの部品（単部品）により構成される。
【００６５】
また、本体ベース６０と前飾り本体６４とは共にＰＣ樹脂材料による成形品とされ、装飾部材６６は、ＰＣ樹脂材料をベースとした成形品ではあるが前面に金属薄板製の反射板６８がインサート成形されている。そのため、原料材質毎の分別では、装飾部材６６は、本体ベース６０及び前飾り本体６４とは別材質として分類されることになり、そのため、装飾部材６６は、本体ベース６０及び前飾り本体６４とは実質的に異なる材質（異材質部品）となっている。
【００６６】
この装飾部材６６の左右側端部には、第１の実施形態で説明したツメ４４Ｌ、４４Ｒを備えるフック４２Ｌ、４２Ｒが設けられている。前飾り本体６４には、下端部に同じくツメ４４Ｄを備えるフック４２Ｄが設けられているとともに、左右側端の上部には、フック７２Ｌ、７２Ｒが一体的に設けられて後方へ突出されており、フック７２Ｌ、７２Ｒの先端部には下方へ突出されたツメ７４Ｌ、７４Ｒが設けられている。また、前飾り本体６４の前面上部６４Ａには、識別情報７０が設けられている。この識別情報７０の表示内容は第１の実施形態と同じ「＜全てＰＣ＞」とされており、またここでも、識別情報７０は前飾り本体６４を成形する成形金型の刻印によって形成されている。
【００６７】
一方、本体ベース６０には、前飾り本体６４のフック７２Ｌ、７２Ｒと対応する矩形状の貫通孔７６Ｌ、７６Ｒが形成されている。
【００６８】
このような構成からなるチャッカー１５０を組み立てるには、先ず、前飾り本体６４のフック４２Ｄ、７２Ｌ、７２Ｒを本体ベース６０の貫通孔２６Ｄ、７６Ｌ、７６Ｒにそれぞれ挿通して前飾り本体６４をベース部２０の前面２０Ａに密着させ、そのまま前飾り本体６４を下方（図９の矢印Ｄ方向）へスライドさせて、ツメ４４Ｄ、７４Ｌ、７４Ｒを貫通孔２６Ｄ、７６Ｌ、７６Ｒの各孔縁に係合させる。次に、装飾部材６６のフック４２Ｌ、４２Ｒを本体ベース１０の貫通孔２６Ｌ、２６Ｒに押し込み、ツメ４４Ｌ、４４Ｒを貫通孔２６Ｌ、２６Ｒの各孔縁に係止させると、装飾部材６６は、前飾り本体６４の上部前面側に装着された状態で本体ベース１０に取り付けられる。これにより、前飾り本体６４は上方へのスライドが規制されて本体ベース１０から取り外せない状態となり、よって、チャッカー１５０の組み立てが完了する。
【００６９】
また、遊技盤１００の解体に伴うチャッカー１５０の分別では、作業者は、遊技盤１００から取り外したチャッカー１５０の金属薄板製の反射板６８を見て、チャッカー１５０を分解する必要があると判断する。そして、チャッカー１５０の組立構造を観察し、本体ベース１０に係止している装飾部材６６のツメ４４Ｌ、４４Ｒを外すことで、装飾部材６６と本体ベース１０が分離できることを容易に理解し、そのツメ４４Ｌ、４４Ｒを指で摘み内方に押圧して係止状態を解除する。その状態で装飾部材６６を引っ張ると、装飾部材６６は本体ベース６０から簡単に取り外される。
【００７０】
ここで、前飾り本体６４の前面上部６４Ａを見た作業者には、識別情報７０（＜全てＰＣ＞）が視認される。そして、作業者は、チャッカー１５０を構成する残りの部品（本体ベース６０及び前飾り本体６４）が全てＰＣ樹脂で形成されていることを認識する。したがって、チャッカー１５０をそれ以上分解することなく、本体ベース６０に前飾り本体６４が組み付けされた状態のまま分別してもよいと判断する。
【００７１】
このように、第５の実施形態では、セット部品であるチャッカー１５０が、本体ベース６０及び前飾り本体６４とは材質が異なる装飾部材６６を更に備える場合、作業者は、チャッカー１５０の組立状態では装飾部材６６の取付部位である前面上部６４Ａに設けられた識別情報７０を視認することはできず、また、チャッカー１５０の分解では、前飾り本体６４を取り外さないと分解できないため、先ず、前飾り本体６４を取り外す。すると、前飾り本体６４に設けられた識別情報７０が現れて、本体ベース６０及び前飾り本体６４が同材質のＰＣ樹脂で形成されていることを認識する。これにより、作業者に、チャッカー１５０を分解する過程で前飾り本体６４を取り外した後、残りの本体ベース６０及び前飾り本体６４をそれ以上分解する必要がないことを明確に報知することができる。そして、チャッカー１５０の分解作業が軽減される。
【００７２】
［第６の実施形態］
第６の実施形態は、上記第５の実施形態で説明した識別情報の表示内容を変更した変形例である。
【００７３】
図１０に示される第６の実施形態に係る識別情報８０は、「集合」を想起させる単語に「残り」を用いて「＜残りＰＣ＞」とした場合の例である。
【００７４】
このような第６の実施形態によっても、作業者は、チャッカー１５０の分解時に装飾部材６６を取り外した後、識別情報８０を視認して、残りの本体ベース６０及び前飾り本体６４がＰＣ樹脂製の部品の集合物、集合体であることを容易に認識することができる。
【００７５】
以上、本発明を上述した第１〜第６の実施形態により詳細に説明したが、本発明はそれらに限定されるものではなく、本発明の範囲内にて他の種々の実施形態が可能である。
【００７６】
例えば、上述した第１〜第６の実施形態では、セット部品であるチャッカーを構成する同材質の単部品が２つの場合で説明したが、これは３つ以上としても構わない。識別情報については、成形金型の刻印によって形成する以外に、例えば、シール部材や印刷等によって設けることができる。また、識別情報は２つ以上の単部品に跨って設けることが可能であり、さらにその表示内容については、原料材質名（「ＰＣ」）あるいは集合を意味する単語（「全て」等）を、それらと対応させて予め定めておいた記号等に置き換えることもできる。
【００７７】
また、第５及び第６の実施形態では、ＰＣ樹脂製の本体ベース６０及び前飾り本体６４に対し、異なる材質として取り扱われる部品（異材質部品）を、金属薄板製の反射板６８をインサート成形した装飾部材６６を例に説明したが、この場合であれば、他にも、例えばめっき処理をしたＡＢＳ樹脂、あるいは、金属材料やゴム材料等の原料材質からなる部品が組み付けられていれいば、それらの部品は異材質部品として取り扱われる。
【００７８】
また、本発明は、上述の実施形態で説明したチャッカー１１８、１５０に限らず、パチンコ機であればスタート・チャッカーや変動入賞装置等の他の遊技部品、あるいは内枠や皿枠、裏セット等の構造部品にも適用することができる。さらには、パチンコ機等の遊技機以外に装備されるセット部品にも適用可能である。
【００７９】
また、セット部品を構成する単部品や異材質部品の原料材質については、リサイクル等を目的として分別されるものであれば、合成樹脂材料に限らず金属材料等でもよい。
【００８０】
【発明の効果】
本発明のセット部品及びこれを備えた遊技機は上記構成としたので、セット部品及びこれを備えた遊技機をリサイクル等のために原料材質毎に分別する際の分解作業を軽減することができる。
【図面の簡単な説明】
【図１】本発明の第１の実施形態に係る遊技盤を示した正面図である。
【図２】本発明の第１の実施形態に係るチャッカーが遊技盤に取り付けられた状態を示した斜視図である。
【図３】本発明の第１の実施形態に係るチャッカーの分解状態を示した斜視図である。
【図４】本発明の第１の実施形態に係るチャッカーを示した背面図である。
【図５】本発明の第１の実施形態に係るチャッカーの組み立て途中の状態を示した側面図である。
【図６】本発明の第１の実施形態に係るチャッカーの組み立て完了状態を示した側面図である。
【図７】本発明の第１の実施形態に係るチャッカーの組み立て完了状態を示した平面図である。
【図８】（Ａ）が本発明の第２の実施形態に係るチャッカーを示した背面図であり、（Ｂ）が本発明の第３の実施形態に係るチャッカーを示した背面図であり、（Ｃ）が本発明の第４の実施形態に係るチャッカーを示した背面図である。
【図９】本発明の第５の実施形態に係るチャッカーの分解状態を示した斜視図である。
【図１０】本発明の第６の実施形態に係るチャッカーの分解状態を示した斜視図である。
【符号の説明】
１０        本体ベース（単部品）
１２        前飾り（単部品）
２０Ｂ      背面（請求項１の視認可能な部位／請求項３の取付部位）
３２        識別情報
３４        単語
３６        原料材質名
５４        識別情報
５６        識別情報
５８        識別情報
６０        本体ベース
６４        前飾り本体（単部品）
６４Ａ      前面上部（請求項４の取付部位）
６６        装飾部材（異材質部品）
６８        反射板（異材質部品）
７０        識別情報
８０        識別情報
１００        遊技盤（他部品）
１１８        チャッカー（セット部品）
１５０        チャッカー（セット部品）
【図１】
2004195069.tif 000003
【図２】
2004195069.tif 000004
【図３】
2004195069.tif 000005
【図４】
2004195069.tif 000006
【図５】
2004195069.tif 000007
【図６】
2004195069.tif 000008
【図７】
2004195069.tif 000009
【図８】
2004195069.tif 000010
【図９】
2004195069.tif 000011
【図１０】
2004195069.tif 000012